【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
複数の繰り返しユニットを含有する共役ポリマーであって、該繰り返しユニットがアクセプター基に結合した複数の置換ジオキシ複素環ベースのドナー基を含有し、該共役ポリマーがニュートラル状態時に可視スペクトルの第１帯域および可視スペクトルの第２帯域の電磁線を吸収し、酸化すると該共役ポリマーが透過状態になり、第１および第２帯域の電磁線の吸光度がニュートラル状態よりも小さくなる、共役ポリマー。
【請求項２】
該ポリマーが少なくとも１種類の溶媒に可溶性を示す、請求項１に記載のポリマー。
【請求項３】
該溶媒が、塩化メチレン、クロロホルム、テトラクロロエタン、テトラヒドロフラン、ジオキサン、ベンゼン、トルエン、キシレン、クロロベンゼン、ジクロロベンゼン、ピリジン、酢酸エチル、ブタノール、エタノール、メタノール、アセトニトリル、アセトン、イソプロパノール、水またはそれらの混合物を含有する、請求項２に記載のポリマー。
【請求項４】
該第１吸収帯域が約５００ｎｍ以下の波長に可視吸収極大を有し、該第２吸収帯域が約５５０ｎｍ以上の波長に可視吸収極大を有し、４８０〜５８０ｎｍに吸収の局所極小がある、請求項１に記載のポリマー。
【請求項５】
該ポリマーがニュートラル状態で緑色の色合いを有する、請求項４に記載のポリマー。
【請求項６】
該共役ポリマーがニュートラル状態で第１および第２帯域の電磁線を、透過状態の強度の約２００％以上の強度で吸収する、請求項１に記載のポリマー。
【請求項７】
該ジオキシ複素環がジオキシチオフェンである、請求項１に記載のポリマー。
【請求項８】
該ジオキシ複素環がアルキレンジオキシチオフェンである、請求項１に記載のポリマー。
【請求項９】
該ジオキシ複素環が３，４−プロピレンジオキシチオフェンである、請求項１に記載のポリマー。
【請求項１０】
該アクセプター基が電子不足芳香族ユニットである、請求項１に記載のポリマー。
【請求項１１】
該電子不足芳香族ユニットが、置換または非置換ベンゾチアジアゾール基、チアジアゾロキノキサリン基、キノキサリン基、チエノチアジアゾール基、チエノピラジン基、ピラジノキノキサリン基、ベンゾビスチアジアゾール基またはチアジアゾロチエノピラジン基を含有する、請求項１０に記載のポリマー。
【請求項１２】
該電子不足芳香族ユニットが２，１，３−ベンゾチアジアゾール基（ＢＴＤ）である、請求項１０に記載のポリマー。
【請求項１３】
該繰り返しユニットが式ＩＩＩ
＊−Ｚｑ−Ｙ−Ｅｒ−Ｘ−Ｅｒ−Ｙ−Ｚｑ−＊  ＩＩＩ
〔式中、Ｘは電子不足芳香族ユニットであり、Ｅは電子豊富な共役ユニットであり、Ｙは置換ジオキシ複素環であり、Ｚは共役ユニットであり、ｑおよびｒは０、１、２または３である。〕
の構造を有する、請求項１に記載のポリマー。
【請求項１４】
Ｙが置換ジオキシチオフェンである、請求項１３に記載のポリマー。
【請求項１５】
該置換ジオキシチオフェンが任意に１以上の複素原子を含んでいてもよい少なくとも１つの直鎖または分枝脂肪族炭素鎖で置換されているアルキレンジオキシチオフェンである、請求項１４に記載のポリマー。
【請求項１６】
該繰り返しユニットが式ＩＩ
【化１】
2011503260.tif 000001
〔式中、Ｘは電子不足芳香族ユニットであり、Ｅは電子豊富な共役ユニットであり、Ｚは共役ユニットであり、ｑおよびｒは０、１、２または３であり、Ｒ１０、Ｒ１１、Ｒ１２およびＲ１３は同一であるかまたは異なっており、Ｒ１０、Ｒ１１、Ｒ１２およびＲ１３の少なくとも１つは任意に１以上の複素原子を含んでいてもよい直鎖または分枝脂肪族炭素鎖を含む。〕
の構造を有する、請求項１に記載のポリマー。
【請求項１７】
Ｘが置換または非置換ベンゾチアジアゾール基、チアジアゾロキノキサリン基、キノキサリン基、チエノチアジアゾール基、チエノピラジン基、ピラジノキノキサリン基、ベンゾビスチアジアゾール基およびチアジアゾロチエノピラジン基を含む、請求項１６に記載のポリマー。
【請求項１８】
Ｅが置換または非置換チオフェンを含み、Ｚが置換または非置換ジオキシチオフェン基を含む、請求項１６に記載のポリマー。
【請求項１９】
Ｒ１０、Ｒ１１、Ｒ１２およびＲ１３が、オリゴエーテル、エステル、アミド、カルボン酸、スルホネート、およびアミンから選択される官能基を含む、請求項１６に記載のポリマー。
【請求項２０】
Ｒ１０、Ｒ１１、Ｒ１２およびＲ１３が−Ｒ’ＯＲ’’基〔式中、Ｒ’はメチレン、エチレンまたはプロピレン基であり、Ｒ’’は直鎖または分枝Ｃ２〜Ｃ３０アルキルである。〕である、請求項１６に記載のポリマー。
【請求項２１】
置換ジオキシ複素環部分を含有する２つのドナー化合物とアクセプター部分を含有する共役アクセプター化合物とを反応させて重合性ユニットを生じる工程；および
複数の重合性ユニットをその末端で共有結合させて共役ポリマーを生じる工程
を包含する共役ポリマーの製造方法であって、該共役ポリマーが、ニュートラル状態時に可視スペクトルの第１帯域および可視スペクトルの第２帯域の電磁線を吸収し、酸化すると該ポリマーが透過性になり、第１および第２帯域の電磁線の吸光度がニュートラル状態よりも低くなり、該ポリマーが少なくとも１種類の溶媒に可溶である、共役ポリマーの製造方法。
【請求項２２】
該反応させる工程が金属触媒の存在下で起こる、請求項２１に記載の方法。
【請求項２３】
該重合性ユニットの末端がジオキシチオフェン部分を含む、請求項２１に記載の方法。
【請求項２４】
該ジオキシ複素環部分が有機錫置換基、有機ホウ素置換基、有機マグネシウム置換基、有機亜鉛置換基、または有機シラン置換基を含有するカップリング部分を含み、該共役アクセプター化合物が共役アクセプター化合物上に対称的に配置された２つのハロゲン官能基を含む、請求項２１に記載の方法。
【請求項２５】
該共役アクセプター化合物が、共役アクセプター化合物上に対称的に配置された２つの有機錫置換基、有機ホウ素置換基、有機マグネシウム置換基、有機亜鉛置換基、または有機シラン置換基を含有し、かつ該ジオキシ複素環部分がハロゲンを含有するカップリング部分を有する、請求項２１に記載の方法。
【請求項２６】
該共役アクセプター化合物が、二ハロゲン化ベンゾチアジアゾール、二ハロゲン化チアジアゾロキノキサリン、二ハロゲン化キノキサリン、二ハロゲン化チエノチアジアゾール、二ハロゲン化チエノピラジン、二ハロゲン化ピラジノキノキサリン、二ハロゲン化ベンゾビスチアジアゾールおよび二ハロゲン化チアジアゾロチエノピラジンから選択される、請求項２１に記載の方法。
【請求項２７】
該アクセプター化合物が二臭素化２，１，３−ベンゾチアジアゾールである、請求項２５に記載の方法。
【請求項２８】
該ドナー化合物が式Ｉ
2011503260.tif 000002
〔式中、Ｒ基は、同一であるかまたは異なっており、直鎖または分枝脂肪族炭素鎖を含有し、任意にオリゴエーテル基、エステル基、アミド基、カルボン酸基、スルホネート基、アミン基および別の極性官能基から選択される１以上の官能基を含有していてもよく、Ｒ’はアルキル基を含有する。〕
の化合物から選択される、請求項２１に記載の方法。
【請求項２９】
Ｒが−Ｒ’’ＯＲ’’’基〔式中、Ｒ’’はメチレン、エチレンまたはプロピレンであり、Ｒ’’’は直鎖または分枝Ｃ２〜Ｃ３０アルキルである。〕である、請求項２８に記載の方法。